(57)【要約】【課題】外気が移送配管を通じて進入することを抑制して、冷却効率の低下を招来する虞れがない自動販売機のドレン水処理装置を提供すること。【解決手段】自動販売機の機内で発生したドレン水を移送配管５２の内部を通過させて蒸発皿５１まで移送させ、蒸発皿５１でドレン水を蒸発させて処理するドレン水処理装置５０において、移送配管５２は、出口５２ａよりも相対的に下方となるトラップ５２ｂを有し、トラップ５２ｂには、管内を塞ぐ態様で水が予め貯留されてなる。特に、移送配管５２は、商品を収容する商品収容庫５ａ，５ｂ，５ｃの外部に配設され、かつ商品収容庫５ａ，５ｂ，５ｃから導入した内部雰囲気を冷却して商品収容庫５ａ，５ｂ，５ｃに送出する循環ダクト４１に生じたドレン水を移送させるものである。【選択図】      図３
2008040617.tif 000002
【特許請求の範囲】
【請求項１】
自動販売機の機内で発生したドレン水を移送配管の内部を通過させて所定の蒸発部位まで移送させ、該蒸発部位でドレン水を蒸発させて処理するドレン水処理装置において、
前記移送配管は、出口よりも相対的に下方となるトラップ部を有し、該トラップ部には、管内を塞ぐ態様で水が予め貯留されてなることを特徴とする自動販売機のドレン水処理装置。
【請求項２】
自動販売機の機内で発生したドレン水を移送配管の内部を通過させて所定の蒸発部位まで移送させ、該蒸発部位でドレン水を蒸発させて処理するドレン水処理装置において、
前記移送配管は、出口近傍部分に水分解性材料から形成された遮断部材が管内を塞ぐ態様で予め設けられてなることを特徴とする自動販売機のドレン水処理装置。
【請求項３】
前記移送配管は、商品を収容する商品収容庫の外部に配設され、かつ前記商品収容庫から導入した該商品収容庫の内部雰囲気を冷却して前記商品収容庫に送出する循環ダクトに生じたドレン水を移送させることを特徴とする請求項１または請求項２に記載の自動販売機のドレン水処理装置。
【発明の詳細な説明】
【技術分野】
【０００１】
本発明は、自動販売機のドレン水処理装置に関し、より詳細には、機内で発生したドレン水を所定の蒸発部位まで移送させ、該蒸発部位でドレン水を蒸発させて処理する自動販売機のドレン水処理装置に関する。
【背景技術】
【０００２】
例えば、缶入り商品、瓶入り商品またはペットボトル入り商品等のコールド商品を販売する自動販売機では、本体キャビネットの商品収容庫の内部（庫内）に冷却ユニットの構成機器である蒸発器（冷却器）が設けられており、該自動販売機の機内において冷却ユニットの冷却運転により生じた結露水（主に冷却器より発生）や蒸発器の除霜時に生じた除霜水がドレン水として発生する。そして、この発生したドレン水を処理するために、自動販売機にはドレン水処理装置が設けられているのが一般的である。
【０００３】
ドレン水処理装置は、本体キャビネットの商品収容庫の下部となる機械室に、冷却ユニットの構成機器である圧縮機、庫外送風ファン、凝縮器および膨張機構等とともに設けられている。このようなドレン水処理装置は、機械室内に載置した蒸発皿と、該蒸発皿にドレン水を移送させる移送手段とを備えて構成されている。この移送手段は、ドレン水を貯留するための小径カップ部と、該小径カップ部の外周を取り囲む態様で大径カップ部とが設けられており、該小径カップ部でドレン水が貯留し、大径カップ部で小径カップ部から溢れたドレン水を受けるようにしている。大径カップ部の底部には、蒸発皿に至る配管が設けられている。
【０００４】
かかる構成を有するドレン水処理装置は、商品収容庫内等の機内で発生したドレン水を小径カップ部に貯留し、該小径カップ部から溢れたドレン水を大径カップ部で受け、その後配管を通じて蒸発皿に移送させ、蒸発皿で貯留したドレン水を庫外送風ファンの作用、あるいは圧縮機からの高温冷媒ガスの熱により蒸発させて処理を行っている（例えば、特許文献１参照）。
【０００５】
【特許文献１】特開平８−０８３３７５号公報
【発明の開示】
【発明が解決しようとする課題】
【０００６】
ところで、上述したようなドレン水処理装置では、小径カップ部にドレン水が必要量貯留するまでは、商品収容庫の内部は移送手段を通じて外部と連通状態になっている。そのため、冷却ユニットを冷却運転しても外気が移送手段を通じて商品収容庫内等に進入してしまう結果、商品収容庫等の内部雰囲気を良好に冷却できず、冷却効率の低下を招来する虞れがある。
【０００７】
また、商品収容庫の外部（機械室）に配設された循環ダクトとの間で商品収容庫の内部雰囲気を循環させ、機械室に配設されたスターリング冷凍機等の冷凍機器で発生した冷熱を利用して循環ダクト内の内部雰囲気を冷却することにより、商品収容庫内の商品を冷却するタイプの自動販売機では、循環ダクトに生じたドレン水を、移送手段を通じて蒸発皿に移送させる必要がある。しかしながら、移送手段を構成する小径カップ部にドレン水が必要量貯留するまでは、循環ダクトの内部は移送手段を通じて外部と連通状態になっているので、外気が移送手段を通じて循環ダクト内部に進入してしまう結果、これによっても冷却効率の低下を招来する虞れがある。
【０００８】
このような課題を解決するために移送配管の出口に逆止弁を取り付けることも考えられる。このような逆止弁を取り付ける場合には、気密性を確保する観点より逆止弁を閉成させた場合には、移送配管の出口を閉塞する必要がある。しかしながら、このように逆止弁を閉成させて移送配管の出口を閉塞させた場合、移送配管を通過して出口に至るドレン水の表面張力により逆止弁の閉塞がより強固になってしまい、結果的に配管抵抗が大きくなってしまい、上記課題を解決するには至っていない。
【０００９】
本発明は、上記実情に鑑みて、外気が移送配管を通じて進入することを抑制して、冷却効率の低下を招来する虞れがない自動販売機のドレン水処理装置を提供することを目的とする。
【課題を解決するための手段】
【００１０】
上記目的を達成するために、本発明の請求項１に係る自動販売機のドレン水処理装置は、自動販売機の機内で発生したドレン水を移送配管の内部を通過させて所定の蒸発部位まで移送させ、該蒸発部位でドレン水を蒸発させて処理するドレン水処理装置において、前記移送配管は、出口よりも相対的に下方となるトラップ部を有し、該トラップ部には、管内を塞ぐ態様で水が予め貯留されてなることを特徴とする。
【００１１】
また、本発明の請求項２に係る自動販売機のドレン水処理装置は、自動販売機の機内で発生したドレン水を移送配管の内部を通過させて所定の蒸発部位まで移送させ、該蒸発部位でドレン水を蒸発させて処理するドレン水処理装置において、前記移送配管は、出口近傍部分に水分解性材料から形成された遮断部材が管内を塞ぐ態様で予め設けられてなることを特徴とする。
【００１２】
また、本発明の請求項３に係る自動販売機のドレン水処理装置は、上述した請求項１または請求項２において、前記移送配管は、商品を収容する商品収容庫の外部に配設され、かつ前記商品収容庫から導入した該商品収容庫の内部雰囲気を冷却して前記商品収容庫に送出する循環ダクトに生じたドレン水を移送させることを特徴とする。
【発明の効果】
【００１３】
本発明の自動販売機のドレン水処理装置によれば、移送配管は、出口よりも相対的に下方となるトラップ部を有し、該トラップ部には、管内を塞ぐ態様で水が予め貯留されているので、機内は移送配管を通じて外部と連通していない。すなわち、機内を外部と遮断することができる。そのため、外気が移送配管を通じて機内に進入する虞れがなく、これにより、冷却機器による内部雰囲気の冷却が外気の進入により妨げられることがない。従って、冷却効率の低下を招来する虞れがないという効果を奏する。
【発明を実施するための最良の形態】
【００１４】
以下に添付図面を参照して、本発明に係る自動販売機のドレン水処理装置の好適な実施の形態について詳細に説明する。
【００１５】
図１および図２は、それぞれ本発明の実施の形態におけるドレン水処理装置が適用された自動販売機を模式的に示したものであり、図１は、正面から見た場合の内部構造を示す断面図であり、図２は、要部を示す断面側面図である。これら図１および図２において、自動販売機は、本体キャビネット１を備えている。
【００１６】
本体キャビネット１は、前面が開口した直方状の断熱筐体として形成したものである。この本体キャビネット１には、その前面に外扉２と内扉３とが設けてあり、その内部に例えば二つの断熱仕切板４によって仕切られた三つの独立した商品収容庫５ａ，５ｂ，５ｃが左右に並んだ態様で設けてある。外扉２は、本体キャビネット１の前面開口を開閉するためのものである。内扉３は、商品収容庫５ａ，５ｂ，５ｃの前面を開閉するためのものである。商品収容庫５ａ，５ｂ，５ｃは、飲料缶やペットボトルを所望の温度に維持した状態で収容するためのものである。
【００１７】
商品収容庫５ａ，５ｂ，５ｃには、それぞれ商品収納ラック６、搬出機構７、商品搬出シュータ８および背面ダクト９が設けてある。
【００１８】
商品収納ラック６は、缶入り飲料やペットボトル入り飲料等の商品を上下方向に沿って並ぶ態様で収納するためのものである。搬出機構７は、商品収納ラック６の下部に設けてあり、この商品収納ラック６に収納された商品群のうち最下部にある商品を一つずつ搬出するためのものである。商品搬出シュータ８は、多数の通気孔を有した平板状部材であり、商品収容庫５ａ，５ｂ，５ｃの後方から前方に向けて低く傾斜する態様で配設してある。この商品搬出シュータ８は、搬出機構７から搬出された商品を外扉２に設けた商品取出口２ａに導くためのものである。背面ダクト９は、商品収容庫５ａ，５ｂ，５ｃにおいて背面側に位置する部分に設けた導風路である。
【００１９】
上記本体キャビネット１の内部において商品収容庫５ａ，５ｂ，５ｃの下方側に位置し、該商品収容庫５ａ，５ｂ，５ｃの外部となる機械室１ａには、スターリング冷凍機１０と、冷却ユニット２０と、放熱ユニット３０と、循環ユニット４０と、ドレン水処理装置５０とが設けてある。
【００２０】
スターリング冷凍機１０は、本体キャビネット１の機械室１ａに横置きに載置してあり、稼働することにより冷熱を発生する低温部１１と、高温排熱を発生する高温部１２とを有している。
【００２１】
冷却ユニット２０は、本体キャビネット１の機械室１ａの内部に配設してる。この冷却ユニット２０は、スターリング冷凍機１０の低温部１１から発生した冷熱を、循環ユニット４０を構成する循環ダクト４１まで移送して、該循環ダクト４１の内部の空気を冷却するものである。冷却ユニット２０についてより詳細に説明すると、熱輸送手段としてのヒートパイプを有している。ヒートパイプは、その内部に冷媒を封入してあり、凝縮熱交換器２１、蒸発熱交換器２２、液体配管２３および気体配管２４を備えて構成してある。ここに、冷媒としては、例えば二酸化炭素等のように常温では気体であって、スターリング冷凍機１０の低温部１１からの冷熱では凍らないもの（不凍冷媒）が用いられている。
【００２２】
凝縮熱交換器２１は、スターリング冷凍機１０の低温部１１に熱的に接続してあり、より詳細には、低温部１１の周面を覆う態様で配設してある。この凝縮熱交換器２１では、低温部１１から得た冷熱、すなわち低温部１１から発生した冷熱により冷媒が凝縮される。
【００２３】
蒸発熱交換器２２は、凝縮熱交換器２１から所定の距離だけ離隔した位置で、かつ凝縮熱交換器２１よりも相対的に低い位置に配設してある。この蒸発熱交換器２２では、詳細は後述するが、冷媒が循環ダクト４１の内部の空気から得た熱により蒸発する。換言すると、蒸発熱交換器２２の周辺領域である循環ダクト４１の内部の空気は、冷媒が蒸発することによって熱が奪われることになり冷却される。
【００２４】
液体配管２３は、凝縮熱交換器２１と蒸発熱交換器２２とを繋ぐ管路である。この液体配管２３は、凝縮熱交換器２１で凝縮した冷媒を蒸発熱交換器２２まで移動させるためのものである。
【００２５】
気体配管２４は、上記液体配管２３とは別個に、凝縮熱交換器２１と蒸発熱交換器２２とを繋ぐ管路である。この気体配管２４は、蒸発熱交換器２２で蒸発した冷媒を凝縮熱交換器２１まで移動させるためのものである。
【００２６】
液体配管２３と気体配管２４との配置関係は、気体配管２４が液体配管２３の上方に位置している。これは、気体配管２４を通過する冷媒の密度が液体配管２３を通過する冷媒の密度よりも小さいためである。
【００２７】
上記冷却ユニット２０では、スターリング冷凍機１０の低温部１１からの冷熱を次のようにして蒸発熱交換器２２まで移送して、循環ダクト４１の内部の空気を冷却する。低温部１１に熱的に接続している凝縮熱交換器２１において急激に冷却されて凝縮された冷媒が、その重力により液体配管２３を通じて蒸発熱交換器２２まで移動する。この蒸発熱交換器２２において、冷媒は、該蒸発熱交換器２２を収容する循環ダクト４１の内部空気の熱により蒸発する。つまり、循環ダクト４１の内部の空気は、熱が奪われることになり、これにより循環ダクト４１の内部の空気は冷却される。ところで、蒸発熱交換器２２において蒸発した冷媒は、気体配管２４を通じて凝縮熱交換器２１まで移動し、該凝縮熱交換器２１で再び凝縮されて液体配管２３を通じて蒸発熱交換器２２に移動してサイクルを繰り返すことになる。
【００２８】
放熱ユニット３０は、本体キャビネット１の機械室１ａの内部に配設してある。この放熱ユニット３０は、スターリング冷凍機１０の高温部１２で発生した高温排熱を自動販売機（本体キャビネット１）の外部に放出するためのものであり、熱輸送手段であるヒートパイプと、庫外送風ファン３５とを有している。
【００２９】
ヒートパイプは、その内部に冷媒を封入してあり、放熱熱交換器３１、空気熱交換器３２、第１輸送ライン３３および第２輸送ライン３４を備えて構成してある。ここに、冷媒としては種々のものを用いることができるが、本実施の形態では二酸化炭素が用いられる場合について説明する。
【００３０】
放熱熱交換器３１は、スターリング冷凍機１０の高温部１２に熱的に接続してあり、より詳細には、高温部１２の周面を覆う態様で配設してある。この放熱熱交換器３１では、高温部１２から得た高温排熱、すなわち高温部１２から発生した高温排熱を冷媒に受熱させるものである。
【００３１】
空気熱交換器３２は、スターリング冷凍機１０（放熱熱交換器３１）から所定の距離だけ離隔した位置で、かつ放熱熱交換器３１よりも相対的に高い位置に配設してある。この空気熱交換器３２は、内部の冷媒に放熱させるものである。この空気熱交換器３２では、詳細は後述するが、冷媒は、放熱熱交換器３１で受熱した高温排熱を周囲空気へ放熱する結果、周囲空気は加熱される。
【００３２】
第１輸送ライン３３は、放熱熱交換器３１と空気熱交換器３２とを繋ぐ管路である。この第１輸送ライン３３は、放熱熱交換器３１で高温排熱を受熱した冷媒を空気熱交換器３２に移動させるためのものである。
【００３３】
第２輸送ライン３４は、上記第１輸送ライン３３とは別個に、放熱熱交換器３１と空気熱交換器３２とを繋ぐ管路である。この第２輸送ライン３４は、空気熱交換器３２で放熱した冷媒を放熱熱交換器３１に移動させるためのものである。
【００３４】
第１輸送ライン３３と第２輸送ライン３４との配置関係は、第１輸送ライン３３が第２輸送ライン３４の上方に位置している。これは、第１輸送ライン３３を通過する冷媒の密度が第２輸送ライン３４を通過する冷媒の密度よりも小さいためである。
【００３５】
庫外送風ファン３５は、空気熱交換器３２の周辺領域における所定の個所に配設してある。この庫外送風ファン３５は、空気熱交換器３２で冷媒が放熱することによって加熱された空気を自動販売機の外部に放出するためのものである。
【００３６】
上記放熱ユニット３０では、スターリング冷凍機１０の高温部１２からの高温排熱を次のようにして自動販売機の外部に放出する。高温部１２に熱的に接続している放熱熱交換器３１において受熱した冷媒が、第１輸送ライン３３を通じて空気熱交換器３２まで移動し、該空気熱交換器３２で放熱する。つまり、空気熱交換器３２の周囲の空気は、加熱される。そして、加熱された空気は、庫外送風ファン３５によって自動販売機の外部に放出される。従って、スターリング冷凍機１０の高温部１２にて発生した高温排熱は、放熱ユニット３０によって自動販売機の外部に放出される。ところで、空気熱交換器３２で放熱した冷媒は、第２輸送ライン３４を通じて放熱熱交換器３１まで移動し、該放熱熱交換器３１で再び受熱して第１輸送ライン３３を通じて空気熱交換器３２に移動してサイクルを繰り返すことになる。
【００３７】
循環ユニット４０は、上記循環ダクト４１、送気切換シャッタ４２および吸気切換シャッタ４３を備えて構成してある。
【００３８】
循環ダクト４１は、機械室１ａの背面側に配設してある。この循環ダクト４１は、送気路４１ａおよび吸気路４１ｂを有している。
【００３９】
送気路４１ａは、商品収容庫５ａ，５ｂ，５ｃのそれぞれと断熱構造を保持する態様で設けてある。より詳細に説明すると、送気路４１ａは、各商品収容庫５ａ，５ｂ，５ｃの底面上に配設されたファンルーム４４に送気口４５を通じて連通している。ここに、ファンルーム４４は、庫内送風ファンＦを内蔵するものである。庫内送風ファンＦは、商品収容庫５ａ，５ｂ，５ｃの内部の空気（内部雰囲気）を循環させるためのものである。ファンルーム４４は、ヒータルーム４６と吹出口４７を通じて連通している。ヒータルーム４６は、加熱用のヒータＨを内蔵するものであり、背面ダクト９と吸入口４８を通じて連通している。
【００４０】
吸気路４１ｂは、各商品収容庫５ａ，５ｂ，５ｃに配設された背面ダクト９と断熱構造を保持する態様で設けてある。より詳細に説明すると、吸気路４１ｂは、各背面ダクト９に吸気口４９を通じて連通している。
【００４１】
送気切換シャッタ４２は、送気口４５および吹出口４７を開閉するものである。具体的には、送気口４５を開成する場合には、吹出口４７を閉成する一方、吹出口４７を開成する場合には、送気口４５を閉成するものである。
【００４２】
吸気切換シャッタ４３は、吸気口４９および吸入口４８を開閉するものである。具体的には、吸気口４９を開成する場合には、吸入口４８を閉成する一方、吸入口４８を開成する場合には、吸気口４９を閉成するものである。
【００４３】
そのような送気切換シャッタ４２および吸気切換シャッタ４３の開閉動作は、互いに連係している。具体的には、送気切換シャッタ４２が送気口４５を開成する場合には、吸気切換シャッタ４３が吸気口４９を開成し、送気切換シャッタ４２が吹出口４７を開成する場合には、吸気切換シャッタ４３が吸入口４８を開成するようになっている。
【００４４】
ドレン水処理装置５０は、図３に模式的に拡大して示すように、蒸発皿５１と移送配管５２とを備えて構成してある。蒸発皿５１は、本体キャビネット１の機械室１ａにおいて、循環ダクト４１の側方に載置してある。
【００４５】
移送配管５２は、一端が循環ダクト４１の底部に接続され、他端が蒸発皿５１の上方に配置してあり、一端が入口となり、他端が出口５２ａとなる。この移送配管５２は、商品収容庫５ａ，５ｂ，５ｃの内部で生じた結露水、あるいは循環ダクト４１の内部で生じた結露水をドレン水として蒸発皿５１まで移送させるものである。本実施の形態では、循環ダクト４１の内部で生じたドレン水を移送させる場合について説明する。ここで、商品収容庫５ａ，５ｂ，５ｃの内部で生じたドレン水は、送気口４５もしくは吸気口４９を通じて循環ダクト４１の内部に至った後に移送配管５２を通じて移送されることになる。
【００４６】
このような移送配管５２には、その途中で屈曲加工してなるトラップ（Ｕ字トラップ）５２ｂが設けてある。かかるトラップ５２ｂは、出口５２ａよりも相対的に下方となる個所であり、該移送配管５２の内部に進入したドレン水が貯留する部位である。そして、この移送配管５２では、トラップ５２ｂに予め水が管内を塞ぐ態様で貯留してある。
【００４７】
以上のような構成を有するドレン水処理装置５０においては、スターリング冷凍機１０および庫内送風ファンＦ等が稼働することにより、循環ダクト４１の内部に設けた蒸発熱交換器２２に生じた結露水がドレン水として移送配管５２の内部に進入し、既にトラップ５２ｂに貯留している水と混合する。そして、トラップ５２ｂにおける水（ドレン水を含む）の貯留量の増加に応じて水位が上昇し、かかる水位が出口５２ａの高さ位置に達すると、水が移送配管５２の出口５２ａから吐出され、蒸発皿５１に移送される。蒸発皿５１に移送されたドレン水は、その後周囲空気に蒸発して外部に放散される。
【００４８】
よって、本発明の実施の形態におけるドレン水処理装置５０によれば、トラップ５２ｂに管内を塞ぐ態様で水が予め貯留されているので、循環ダクト４１の内部は、移送配管５２を通じて外部と連通していない。すなわち、循環ダクト４１は、外部と遮断されている。そのため、外気が移送配管５２を通じて循環ダクト４１の内部に進入する虞れがなく、これにより、スターリング冷凍機１０および冷却ユニット２０による内部雰囲気の冷却が外気の進入により妨げられることがない。従って、冷却効率の低下を招来する虞れがない。
【００４９】
また、上記ドレン水処理装置５０によれば、移送配管５２のトラップ５２ｂに予め水を貯留しておくだけなので、出口５２ａに逆止弁を設けた従来例と違い配管抵抗が大きくなってしまうことはない。
【００５０】
次に上記実施の形態の変形例について説明する。図４は、本発明の実施の形態におけるドレン水処理装置の変形例を拡大して模式的に示したものである。尚、上述した実施の形態におけるドレン水処理装置５０と同一の構成を有するものには同一の符号を付してその説明を省略する。
【００５１】
この図４に示すドレン水処理装置５０では、移送配管５２の出口５２ａの近傍部分、すなわちトラップ５２ｂから出口５２ａに至る領域の所定個所に遮断部材５２ｃが管内を塞ぐ態様で予め設けてある。遮断部材５２ｃは、水分解性材料から形成されるものであり、かかる水分解性材料としては、例えばトイレットペーパー等を用いることができる。
【００５２】
このように移送配管５２の出口５２ａの近傍部分に管内を塞ぐ態様で遮断部材５２ｃを設けることにより、循環ダクト４１の内部を外部と遮断することができ、これにより、外気が移送配管５２を通じて循環ダクト４１の内部に進入する虞れがない。よって、スターリング冷凍機１０および冷却ユニット２０による内部雰囲気の冷却が外気の進入により妨げられることがない。従って、冷却効率の低下を招来する虞れがない。
【００５３】
また、ドレン水が移送配管５２の内部に進入すると、トラップ５２ｂで貯留することになる。そして、トラップ５２ｂにおけるドレン水の貯留量が増加して水位が上昇し、その結果、遮断部材５２ｃにドレン水が達すると、遮断部材５２ｃは水分解性材料から形成されているため、該ドレン水により分解されていく結果、ドレン水は移送配管５２の出口５２ａから吐出され、蒸発皿５１に移送される。蒸発皿５１に移送されたドレン水は、その後周囲空気に蒸発して外部に放散される。
【産業上の利用可能性】
【００５４】
以上のように、本発明に係る自動販売機のドレン水処理装置は、自動販売機の機内で発生したドレン水を蒸発させて処理するのに有用である。
【図面の簡単な説明】
【００５５】
【図１】本発明の実施の形態におけるドレン水処理装置が適用された自動販売機を正面から見た場合の内部構造を示す断面図である。
【図２】本発明の実施の形態におけるドレン水処理装置が適用された自動販売機の要部を示す断面側面図である。
【図３】本発明の実施の形態におけるドレン水処理装置の要部を拡大して模式的に示した説明図である。
【図４】本発明の実施の形態におけるドレン水処理装置の変形例を拡大して模式的に示した説明図である。
【符号の説明】
【００５６】
１        本体キャビネット
１０      スターリング冷凍機
１１      低温部
１２      高温部
２０      冷却ユニット
３０      放熱ユニット
４０      循環ユニット
５０      ドレン水処理装置
５１      蒸発皿
５２      移送配管
５２ａ    出口
５２ｂ    トラップ
５２ｃ    遮断部材
【図１】
2008040617.tif 000003
【図２】
2008040617.tif 000004
【図３】
2008040617.tif 000005
【図４】
2008040617.tif 000006